(57)【要約】【課題】飼料ベール等の草藁が多い場所を供給部が通過したときに防塵網に付着した塵埃や藁屑を自重落下させ、外気の吸引抵抗を少なくすることができるようにした収穫作業機を提供しようとするものである。【解決手段】圃場の作物を取込む取込部６と、エンジン１０を搭載する走行機体２と、エンジン１０に冷却風を供給する供給部５とを備えた収穫作業機１において、前記供給部５に設置された除塵体５２と前記エンジン１０の間にシャッタ１００を配置し、前記シャッタ１００にて前記エンジン１０に供給する外気の取入れを制御するように構成したものである。【選択図】図３
2014223045.tif 000002
【特許請求の範囲】
【請求項１】
圃場の作物を取込む取込部と、エンジンを搭載する走行機体と、前記エンジンに冷却風を供給する供給部とを備えた収穫作業機において、
前記供給部に設置された除塵体と前記エンジンの間にシャッタを配置し、前記シャッタにて前記エンジンに供給する外気の取入れを制御するように構成した収穫作業機。
【請求項２】
前記取込部にて取込んだ作物を用いてベールを形成するベール形成部を備えた構造であって、前工程のベールを検出するベールセンサを設け、前記ベールセンサの検出結果に基づき前記シャッタが作動し、外気の取入れを中断可能であることを特徴とした請求項１に記載の収穫作業機。
【請求項３】
前記供給部に、回転可能な除塵体と前記除塵体を回転駆動する除塵モータとを設け、前記ベールセンサによる外気の取入れの中断と連動して、前記除塵体の回転を中断することを特徴とした請求項２に記載の収穫作業機。
【発明の詳細な説明】
【技術分野】
【０００１】
本願発明は、圃場の作物を取込む取込部と、エンジンを搭載する走行機体と、エンジンに冷却風を供給する供給部とを備えた収穫作業機に関するものである。
【背景技術】
【０００２】
収穫作業機は、圃場内を自走しながら作物を刈取ることを目的として使用される。特に、飼料稲や牧草等の飼料を刈取るための飼料ベーラは、飼料の穀稈を刈取り刃により細断し、円柱状の飼料ベールに成形して放出することを目的として使用される。飼料ベールは飼料がトワインもしくはネットで結束された状態で飼料ベーラから放出される。その後、ラッピングマシンを用いてフィルムでラップし、収納舎に集積貯蔵しておいて飼料を醗酵熟成させ、家畜の餌に使用される。
【０００３】
しかし、飼料の穀稈は細断されているため、飼料ベールを飼料ベーラから放出する際に、飼料ベールの着地の衝撃等により飼料ベールに付着した穀稈や塵埃は周囲の空気中に巻き上げられる。そのため、収穫作業機を駆動させるエンジンを冷却するために外気を取込む際に、空気中に巻き上げられた塵埃や藁屑等が機内に侵入してしまうという問題があった。
【０００４】
このような問題を解決するため、特許文献１に示すように、エンジンの冷却風として外気を取込む供給部を収穫作業機の側方に設け、供給部に除塵体を設けた技術がある。これにより、塵埃や藁屑を取り除いた外気を機内に取り込むことが出来る。従って、塵埃や藁屑が機内に導入されることを防止しながら、エンジンを冷却することが可能となる。
【先行技術文献】
【特許文献】
【０００５】
【特許文献１】特開２０１２−１２５１９１号公報
【発明の概要】
【発明が解決しようとする課題】
【０００６】
飼料ベーラは、飼料の刈取り及び取込みを行い、ベール形成部にて円柱状に成形し、所定の大きさの円柱となったときに収穫作業機の後方から飼料ベールとして放出する。飼料ベールの放出後には再び飼料の刈取り及び取込みを行う。すなわち飼料ベーラは、飼料の刈取り及び取込みと、飼料ベールの放出を圃場内を自走しながら交互に行う。
【０００７】
飼料ベーラは、圃場内において、外側から内側へ渦巻き状に移動することにより、圃場に植付された飼料を効率よく刈取り、飼料ベールに成形して放出することができる。しかし、飼料ベーラがこのような軌跡にて移動することから、収穫作業機から放出した飼料ベールは収穫作業機が走行している位置に対して常に外側に配置され、収穫作業機の側方に設けられた供給部が飼料ベールに接近してしまう。
【０００８】
従来の技術は、エンジンに向けて供給部から外気を常に吸い込む構成であるため、飼料ベール等の近くに走行機体が接近したときに、外気と共に飼料ベールに付着した塵埃や藁屑を吸い込み、塵埃や藁屑を除塵体に付着させてしまう。これにより外気の吸引力が低下し、エンジンの過熱等の不具合が発生してしまう問題があった。
【０００９】
すなわち、圃場に放出された飼料ベールには、トワインもしくはネットによって十分に結束されていない塵埃や藁屑が付着している。さらに、飼料ベールの周囲には、飼料ベールの形成に用いられなかった穀稈も収穫作業機から放出されている。そのため、自然風や収穫作業機の走行により引き起こされる風によってこれらの塵埃や藁屑等が巻き上げられ、飼料ベールの周囲の空気中には常に塵埃や藁屑等が漂った状態となっている。
【００１０】
このような条件下で、飼料ベール等の近くにおいて供給部から外気を吸い込んだ場合、飼料ベールの周囲の空気は塵埃や藁屑等と共に供給部に向かって移動する。空気は除塵体を通過することができるが、塵埃や藁屑等は供給部に設けられた除塵体に付着する。従来の技術は、エンジンに向けて供給部から外気を常に吸い込む構成であることから、一度除塵体に付着した塵埃や藁屑等は、機外からエンジンへの外気の吸引力により常に除塵体に付着した状態になってしまう。そのため、飼料ベール等の近くにおいて供給部から外気を吸い込むほど、より多くの塵埃や藁屑等が除塵体に付着する。これにより、除塵体が詰まり、エンジンへの外気の供給が妨げられ、エンジンの過熱等の不具合が発生する可能性が高くなる。
【００１１】
そこで本願発明は、外気の吸引力の低下を防ぎ、エンジンの過熱等の不具合が発生する可能性を低減することができる収穫作業機を提供しようとするものである。
【課題を解決するための手段】
【００１２】
前記目的を達成するため、請求項１に係る発明の収穫作業機は、圃場の作物を取込む取込部と、エンジンを搭載する走行機体と、前記エンジンに冷却風を供給する供給部とを備えた収穫作業機において、前記供給部に設置された除塵体と前記エンジンの間にシャッタを配置し、前記シャッタにて前記エンジンに供給する外気の取入れを制御するように構成したものである。
【００１３】
請求項２に記載の発明は、請求項１に記載の収穫作業機において、前記取込部にて取込んだ作物を用いてベールを形成するベール形成部を備えた構造であって、前工程のベールを検出するベールセンサを設け、前記ベールセンサの検出結果に基づき前記シャッタが作動し、外気の取入れを中断可能であることを特徴としたものである。
【００１４】
請求項３に記載の発明は、請求項２に記載の収穫作業機において、前記供給部に、回転可能な除塵体と前記除塵体を回転駆動する除塵モータとを設け、前記ベールセンサによる外気の取入れの中断と連動して、前記除塵体の回転を中断することを特徴としたものである。
【発明の効果】
【００１５】
請求項１に記載の発明によれば、圃場の作物を取込む取込部と、エンジンを搭載する走行機体と、前記エンジンに冷却風を供給する供給部とを備えた収穫作業機において、前記供給部に設置された除塵体と前記エンジンの間にシャッタを配置し、前記シャッタにて前記エンジンに供給する外気の取入れを制御するように構成したものであるから、前記シャッタを閉じることで、飼料ベール等の草藁が多い場所に走行機体が接近したときに外気の取入れを中止できる。前記除塵体に付着した塵埃や藁屑が自重落下させることができる。前記防塵体への塵埃や藁屑の付着が低減できる。エンジンの過熱等の不具合が発生するのを低減できる。
【００１６】
請求項２に記載の発明によれば、前記取込部にて取込んだ作物を用いてベールを形成するベール形成部を備えた構造であって、前工程のベールを検出するベールセンサを設け、前記ベールセンサの検出結果に基づき前記シャッタが作動し、外気の取入れを中断可能であることを特徴としたものであるから、飼料ベール等の草藁が多い場所に走行機体が接近したとき、外気の取入れを自動的に停止できる。オペレータによるシャッタの手動切換が不要になるから、運転操作を簡略化できる。
【００１７】
請求項３に記載の発明によれば、前記供給部に、回転可能な除塵体と前記除塵体を回転駆動する除塵モータとを設け、前記ベールセンサによる外気の取入れの中断と連動して、前記除塵体の回転を中断するものであるから、除塵モータを停止でき、除塵モータの寿命の向上または騒音の低減ができる。また、バッテリの劣化も低減できる。
【図面の簡単な説明】
【００１８】
【図１】本発明の第１実施形態である収穫作業機の右側面図である。
【図２】同平面拡大図である。
【図３】エンジン及び風洞の平面断面拡大図である。
【図４】斜め後方から見た風洞の断面図である。
【図５】回転スイッチ及びバネの近傍における、走行機体の断面図である。
【図６】シャッタを回転させるための電気回路図である。
【図７】第２実施形態を示すエンジン及び風洞の平面断面拡大図である。
【発明を実施するための形態】
【００１９】
本発明の第１実施形態である収穫作業機の概要について、図１及び図２を用いて説明する。図１は本発明の第１実施形態である収穫作業機の右側面図である。図２は同平面拡大図である。なお、以下の説明では、収穫作業機の前進方向に向かって左側を単に左側と称し、同じく前進方向に向かって右側を単に右側と称する。
【００２０】
収穫作業機は作物を刈取り、刈り取った稈をロールさせて円柱状に成形して放出するものである。図１及び図２に示す如く、収穫作業機１は走行機体２、走行部３、操作部４、供給部５、取込部６、搬送部７、及びベール形成部８を備える。
【００２１】
走行部３は、走行機体２の下部に設けられる。走行部３は、左右一対のクローラ３１を有するクローラ式走行装置を具備し、走行機体２を前進または後進方向に走行させることができるように構成される。
【００２２】
操作部４は、走行部３、エンジン１０、ベール形成部８等を操作するものである。操作部４は、走行機体２の前部右側方であってエンジン１０の右側方に配置される。操作部４は、ステアリングハンドル４１、運転席４２、主変速レバー４３等を具備する。なお、エンジン１０は走行機体２の前方であって略左右中央に設置される。
【００２３】
操作部４の前方であって略左右中央部には、ハンドルコラム４４が配置され、その上面にステアリングハンドル４１が配置される。ステアリングハンドル４１の後方には、運転席４２が配置される。操作部４の右側面である運転席４２の右側方には、エンジン１０に冷却風を供給する供給部５が配置される。供給部５には、ラジエータ１１を冷却する冷却風の取入口５１が設けられる。つまり、操作部４の右側面に冷却風の取入口５１が配置される。運転席４２の左側方には、サイドコラム４５が配置され、その上面に主変速レバー４３や作業クラッチレバー等が配置される。運転席４２の下方には、着座した運転者が足を置くことができる高さにステップ４６が設けられる。このように、操作部４は、運転席４２に運転者を着座させ、操作具類により運転者が各部の装置を操作できるように構成される。
【００２４】
供給部５には除塵体５２が設けられる。除塵体５２は、藁屑等の塵埃を通過させないようにするものである。除塵体５２は、藁屑等の塵埃を通過させない網等で構成される。除塵体５２は、供給部５に設けられる冷却風の取入口５１に配置される。また、供給部５は風洞５３を介してラジエータ１１と接続される。これにより、除塵体５２は、機外からラジエータ１１に送られる冷却風を除塵可能に構成される。
【００２５】
取込部６は圃場の飼料作物を取込むものである。取込部６は、カバー６１、駆動軸６２、フレール刃６３、固定刃６４等を有し、走行機体２の前方に配置される。取込部６はカバー６１内に左右水平方向に向けて駆動軸６２が回転自在に支持される。駆動軸６２にはフレール刃６３が放射状に所定間隔、かつ所定角度で位置をずらして配置される。カバー６１内には、固定刃６４が水平方向にフレール刃６３と対向して配置される。これにより、フレール刃６３は、飼料作物を切断可能であるとともに、回転により搬送部７方向に向かう搬送風を発生させて切断された飼料作物を搬送部７内に跳ね上げるように構成される。
【００２６】
搬送部７は、取込部６で刈り取られた飼料作物をベール形成部８へ搬送するものである。搬送部７は、搬送ダクト７１、支持アーム７２、揺動軸７３、昇降シリンダ７４等を有し、走行機体２の前部上側方に配置される。
【００２７】
搬送ダクト７１の一側端部は、取込部６の後部上側面に連通するようにして配置される。搬送ダクト７１は、一側端部から後上方に向かって延伸するように設けられ、側面視略逆Ｊ字状に形成される。搬送ダクト７１の他側端部は、刈り取られた飼料作物の排出口７５として、ベール形成部８の前部上側面からベール形成部８内部に挿入されている。これにより、搬送部７は、取込部６で刈り取られた飼料作物を、搬送風によって搬送ダクト７１を通じてベール形成部８内に投入可能に構成される。
【００２８】
搬送ダクト７１の後側側面には、支持アーム７２が後方に向かって略水平に設けられる。支持アーム７２の後側端部は、走行機体２に軸方向を左右方向として設けられる揺動軸７３に回転自在に支持される。また、搬送ダクト７１の後側側面には、伸縮方向を略上下方向として昇降シリンダ７４が設けられる。昇降シリンダ７４の一端は、走行機体２の前端部に連結される。従って、搬送ダクト７１、および搬送ダクト７１の一側端部に配置される取込部６は、昇降シリンダ７４が伸縮することにより、揺動軸７３を中心として昇降回転自在に構成される。
【００２９】
ベール形成部８は、刈り取られた飼料作物をベールとして成形するものである。ベール形成部８は、固定側筐体８１、開閉側筐体８２、揺動軸８３、開閉シリンダ８４、ベール形成装置８５等を有し、エンジン１０の後方である走行機体２上の後部に配置される。
【００３０】
ベール形成部８は、固定側筐体８１と開閉側筐体８２とによって前後半割状に構成される。開閉側筐体８２は、その前側上端部を固定側筐体８１の後側上端部に軸方向を左右方向として設けられる揺動軸８３に回転自在に支持される。固定側筐体８１の上側面には、伸縮方向を前後方向として開閉シリンダ８４が設けられる。開閉シリンダ８４は、伸縮方向を前後方向として開閉側筐体８２の上側面に連結されている。よって、開閉側筐体８２は、開閉シリンダ８４が伸縮されることにより、揺動軸８３を中心として開閉回転自在に構成される。固定側筐体８１の前部上側面には、刈り取られた飼料作物の投入口８６として、搬送ダクト７１（搬送部７の排出口７５）が挿入されている。
【００３１】
ベール形成部８の内部には、軸方向を左右方向として回転自在に支持される複数の回転ローラ８７が開口部分を投入口８６に向けて側面視略Ｃ字状に配置される。このように配置された複数の回転ローラ８７によって、ベール形成装置８５が構成される。複数の回転ローラ８７は、エンジン１０から図示しないカウンタユニットを介して伝達される動力により同一方向に回転可能に構成される。よって、投入口８６から投入された作物は、ベール形成装置８５の内側に投入されて複数の回転ローラ８７によって円柱状に形成される。新たに投入される飼料作物は、すでにベール形成装置８５の内側で円柱状に形成された作物の外径部分に順次巻きつけられ、所定の外径のベール１３に形成される。
【００３２】
ベール形成装置８５の後側部分を構成する複数の回転ローラ８７は、開閉側筐体８２に配置されている。すなわち、ベール形成装置８５の後部は、開閉側筐体８２の開閉に伴って開閉される。これにより、ベール形成装置８５は、形成したベール１３を機外に放出可能に構成される。
【００３３】
以上より、収穫作業機１は、走行部３の上部に配置される走行機体２の前部にエンジン１０が配置され、その右側方に操作部４が配置される。そして、走行機体２の後部には、ベール形成部８が配置される。このようにして、収穫作業機１は、操作部４での操作具類の操作によって、エンジン１０の動力を走行部３やベール形成部８等に伝達して、走行部３にて走行機体２を走行させながら、ベール形成部８でベール１３の成形、および放出を行うことができるように構成される。
【００３４】
次に、図２から図５を用いて、エンジンに供給する外気の取入れを制御するための構成について説明する。図３はエンジン及び風洞の平面断面拡大図である。図４は斜め後方から見た風洞の断面図である。図５は回転スイッチ及びバネの近傍における、走行機体の断面図である。なお、図５の上段は回転スイッチの近傍における、走行機体の断面図である。図５の下段はバネの近傍における、走行機体の断面図である。
【００３５】
図２及び図３に示す如く、走行機体２の前側中央付近にはエンジン１０が設置され、エンジン１０の右側方即ち冷却ファン１２側にはラジエータ１１が設置される。ラジエータ１１はエンジン１０本体を循環している冷却水を冷却風によって冷却するものである。
【００３６】
風洞５３は、機外からの冷却風をラジエータ１１まで導くための通路を構成するものである。風洞５３はラジエータ１１の右側方であって操作部４の運転席４２の下部に配置される。供給部５とラジエータ１１は、風洞５３を介して接続され、冷却ファン１２の回転により機外からの冷却風がラジエータ１１に送られるように構成される。
【００３７】
供給部５の内部であって取入口５１の近辺に除塵体５２を設置する。なお、以下の説明では、除塵モータ５４により回転可能である除塵体５２を設置した構成を基に説明するが、供給部５に設けられる冷却風の取入口５１に除塵体５２を固定する構成としても構わない。
【００３８】
除塵体５２は回転軸５５に固設される。回転軸５５の左端には図示しないギヤが固着される。除塵体５２の左側方には除塵体５２を回転させる除塵モータ５４が設置される。除塵モータ５４は図示しない支持体により支持される。除塵モータ５４の出力軸には図示しないギヤが固設され、回転軸に固着されたギヤと噛合されることで、除塵モータ５４と回転軸５５が連動連結される。そのため、除塵モータ５４の作動により除塵体５２は回転する。
【００３９】
図３に示す如く、機外から取り込まれた外気は点線矢印方向に流れ、除塵体５２を通過する。これにより、塵埃や藁屑等が除去された空気は風洞５３内に流入する。塵埃や藁屑等が除去された空気はラジエータ１１まで到達し、エンジン１０を循環している冷却水を冷却する。
【００４０】
供給部５とエンジン１０の間にシャッタ１００を設置する。シャッタ１００は回転軸１０１、遮蔽板１０２、停止軸１０３を備える。図４に示す如く、遮蔽板１０２は風洞５３の内部を覆うように回転軸１０１の側面に固設される。遮蔽板１０２は、外気を通過させない鉄板等で構成される。停止軸１０３は回転軸１０１の側面であり、かつ遮蔽板１０２よりも上方に固設される。
【００４１】
シャッタ１００の回転軸１０１は図示しないギヤを介して回転モータ１０４に連動連結される。回転モータ１０４の作動により、図３に示す如く、回転軸１０１は時計回り（実線矢印方向）あるいは反時計回り（二点鎖線矢印方向）に回動する。回転軸１０１の回動に伴い、遮蔽板１０２や停止軸１０３は回転軸１０１を回動中心として回動する。停止軸１０３の回動軌跡上にはリミットスイッチ１０５が設置され、停止軸１０３がリミットスイッチ１０５を押した場合には回転モータ１０４が停止される。
【００４２】
シャッタ１００は、回転モータ１０４の作動により、供給部５から取入れられる冷却風の流れを遮断する状態（図３において二点鎖線で示される状態である。以下、単に「遮断位置」という）と、シャッタ１００が回転軸１０１を回動中心として遮断位置から時計回りに回動することで、供給部５から取入れられる冷却風をラジエータ１１へ供給する状態（図３において実線及びハッチングで示される状態である。以下、単に「供給位置」という）と、に切り替え可能に構成される。また、シャッタ１００が遮断位置もしくは供給位置に達したときに回転モータ１０４を停止させる２つのリミットスイッチ１０５、１０５が配置される。
【００４３】
供給部５の右側方下部には検出部１１０が設けられる。検出部１１０はベールを検出するためのものである。検出部１１０はベールセンサ１１１、回転スイッチ１１２、バネ１１３を備える。
【００４４】
ベールセンサ１１１はベール１３を検出するためのものである。図２及び図３ではベールセンサ１１１は接触式のものを示しているが、ベール１３が検出可能であれば非接触式のベールセンサを使用しても構わない。回転スイッチ１１２は回転モータ１０４を作動させるためのものである。回転スイッチ１１２は走行機体２に突設される。
【００４５】
図３に示す如く、ベールセンサ１１１は走行機体２に突設しており、ベールセンサ回動支点１１４を回動中心として、時計回りもしくは反時計回りに回動する。ベールセンサ回動支点１１４は、ベールセンサ１１１が回動可能となるように走行機体２に固設される。ベールセンサ１１１はベール１３に接触したときに、時計回りに回動し、内側に移動する。回転スイッチ１１２は回転モータ１０４を作動させるためのものであり、図５上段に示す如く、走行機体２の右側方におけるベールセンサ１１１の移動軌跡上に突設される。図６に示す如く、回転スイッチ１１２と回転モータ１０４は電線、スイッチ等にて接続される。ベールセンサ１１１が内側に移動し、回転スイッチ１１２が押されたときに回転モータ１０４が作動する。回転モータ１０４の作動により回転軸１０１が時計回りに回動し、シャッタ１００が遮断位置に達したときに停止軸１０３がリミットスイッチ１０５を押すため、回転モータ１０４が停止し、シャッタ１００は供給部５から取り入れられた冷却風を遮断する。
【００４６】
走行機体２の移動によりベールセンサ１１１がベール１３を通過したときには、バネ１１３によりベールセンサ１１１の位置が元に戻る。即ち、ベールセンサ１１１がベールセンサ回動支点１１４を回転軸として反時計回りに回動し、外側に移動する。図６に示す如く、ベールセンサ１１１の位置が元に戻ることにより、回転モータ１０４が逆回転し、回転軸１０１が時計回りに回動する。シャッタ１００が供給位置に達したときに、停止軸１０３がリミットスイッチ１０５を押すため、回転モータ１０４が停止し、シャッタ１００は供給部５から取り入れられた冷却風を良好にラジエータ１１に供給する位置に停止する。
【００４７】
以上の構成により、通常の走行時には、供給部５から風洞５３を介してエンジン１０の冷却風としての外気がエンジン１０へ供給される。走行機体２が飼料ベール１３に接近したときには、シャッタ１００が遮断位置に向かって回動し、外気と共に飼料ベールに付着した塵埃や藁屑等が供給部５もしくは除塵体５２に運ばれることを防ぐことができる。さらに、走行機体２が飼料ベール１３を通過したときには、シャッタ１００が供給位置に向かって回動し、エンジン１０の冷却風としての外気がエンジン１０へ供給させることができる。
【００４８】
除塵体５２に付着した塵埃や藁屑は、排出部１２０により機外に排出される。排出部１２０は、吸引ダクト１２１、接続ダクト１２２、排出ダクト１２３及び吸引ファン１２４を備える。
【００４９】
吸引ダクト１２１は除塵体５２の外面に付着した塵埃や藁屑を吸引するものである。吸引ダクト１２１は、除塵体５２の回転中心即ち回転軸５５から前方にむかって、除塵体５２の機外側面に近接するようにして配置される。吸引ダクト１２１は、除塵体５２と近接する面が開口されて構成される。
【００５０】
接続ダクト１２２は吸引ダクト１２１と排出ダクト１２３を接続するものである。接続ダクト１２２は風洞５３の前方に配置される。排出ダクト１２３は塵埃や藁屑を含む外気を機外に排出するものである。外気の排出口１２５は前方を向くように設けられる。
【００５１】
吸引ファン１２４は、空気や塵埃を吸引するものである。吸引ファン１２４は排出ダクト１２３に回転自在に支持されるファン回転軸１２４ａに固設される。ファン回転軸１２４ａはエンジン１０の動力をＶベルト１４、プーリ１５を介して伝達されることで回転する。即ち、吸引ファン１２４はエンジン１０の動力が伝達されることにより回転し、排出ダクト内を負圧にして吸引ダクト１２１から空気や塵埃を吸引可能に構成される。
【００５２】
以上の構成により、除塵体５２に付着した塵埃や藁屑は、吸引ファン１２４の回転によって、吸引ダクト１２１、接続ダクト１２２、排出ダクト１２３の順に通過し、図３に示す如く一点鎖線矢印方向に排出される。
【００５３】
図６を用いて、エンジンに供給する外気の取入れを制御するための電気回路について説明する。図６はシャッタを回転させるための電気回路図である。
【００５４】
図６に示す如く、ベールセンサ１１１によるベール１３の検出・未検出により、シャッタ１００を供給位置に回動させるために回転モータ１０４を作動させる供給接点１３０への接続と、シャッタ１００を遮断位置に回動させるために回転モータ１０４を作動させる遮断接点１３１への接続とを切り換える回転スイッチ１１２を備える。停止軸１０３との接触により、回転モータ１０４を停止させる常閉スイッチ型のリミットスイッチ１０５、１０５を２つ備える。シャッタ１００を供給位置に設置するようにシャッタ１００を時計回りに回動させるための供給リレー１３２を備える。シャッタ１００を遮断位置に設置するようにシャッタ１００を反時計回りに回動させるための遮断リレー１３３を備える。
【００５５】
図６に示す如く、供給リレー１３２はシャッタ１００が供給位置に向けて回動するように回転モータ１０４を作動させる常開スイッチ型の供給リレースイッチ１３２ａ、１３２ｂと、回転モータ１０４の作動によりシャッタ１００が供給位置に達するまで、回転モータ１０４を作動させる常開スイッチ型の自己保持スイッチ１３２ｃを有する。遮断リレー１３３は、シャッタ１００を遮断位置に向けて回動するように回転モータ１０４を作動させる常開スイッチ型の遮断リレースイッチ１３３ａ、１３３ｂと、回転モータ１０４の作動によりシャッタ１００が遮断位置に達するまで、回転モータ１０４を作動させる常開スイッチ型の自己保持スイッチ１３３ｃと、除塵モータ５４の作動及び停止を切り換える常閉スイッチ型の除塵モータ作動スイッチ１３３ｄを有する。
【００５６】
供給接点１３０には、直列に配列された供給リレー１３２とリミットスイッチ１０５が接続されている。供給リレー１３２には供給リレースイッチ１３２ａ、１３２ｂと、自己保持スイッチ１３２ｃが接続されている。遮断接点１３１には、直列に配列された遮断リレー１３３とリミットスイッチ１０５が接続されている。遮断リレー１３３には遮断リレースイッチ１３３ａ、１３３ｂと、自己保持スイッチ１３３ｃと、除塵モータ作動スイッチ１３３ｄとが接続されている。
【００５７】
バッテリ１３４に接続されたキースイッチ１３５をオンにすると、除塵モータ作動スイッチ１３３ｄに接続された除塵モータ５４が回転する。ベールセンサ１１１がベール１３と接触していない場合は、回転スイッチ１１２が供給接点１３０に接触した状態になる。その際、停止軸１０３（シャッタ１００）が供給状態に達しているときは、停止軸１０３がリミットスイッチ１０５を押している状態であるため、回転モータ１０４は作動しない。停止軸１０３（シャッタ１００）が供給状態に達していないときは、停止軸１０３がリミットスイッチ１０５を押していない状態であるため、供給リレー１３２に通電する。これにより供給リレースイッチ１３２ａ・１３２ｂと、自己保持スイッチ１３２ｃがオン操作され、回転モータ１０４がシャッタ１００を時計回りで回動させるように作動する。シャッタ１００が供給状態に達したときは、停止軸１０３によりリミットスイッチ１０５が押され、回転モータ１０４が停止される。
【００５８】
キースイッチ１３５がオンになっている場合に、ベールセンサ１１１がベール１３と接触しているときは、回転スイッチ１１２が遮断接点１３１に接触した状態になる。その際、停止軸１０３（シャッタ１００）が遮断状態に達しているときは、停止軸１０４がリミットスイッチ１０５を押している状態であるため、回転モータ１０４は作動しない。停止軸１０３（シャッタ１００）が遮断状態に達していないときは、停止軸１０３がリミットスイッチ１０５を押していない状態であるため、遮断リレー１３３に通電する。これにより遮断リレースイッチ１３３ａ・１３３ｂと、自己保持スイッチ１３３ｃがオン操作され、回転モータ１０４がシャッタ１００を反時計回りで回動させるように作動する。同時に、除塵モータ作動スイッチ１３３ｄがオフ操作され、除塵モータ５４を停止させる。シャッタ１００が遮断状態に達したときは、停止軸１０３によりリミットスイッチ１０５が押され、回転モータ１０４が停止される。
【００５９】
したがって、走行中にベールセンサ１１１によりベール１３が検出された場合には、シャッタ１００が遮断状態に達するまで回転モータ１０４がシャッタ１００を反時計回りに回動させ、ベールセンサ１１１がベール１３を通過し、ベールセンサ１１１がベール１３を検出しなくなった場合には、シャッタ１００が供給状態に達するまで回転モータ１０４がシャッタ１００を時計回りに回動させるように構成される。
【００６０】
図７を用いて、本発明の第２実施形態である収穫作業機の概要について説明する。図７は第２実施形態を示すエンジン及び風洞の平面断面拡大図である。なお、図７において、図３等に示した本発明の第１実施形態と同様の効果を奏するものについては、同じ符号で表している。
【００６１】
図７に示す如く、本発明の第２実施形態は回転軸１４１が回動可能な状態で風洞５３に設けたものである。シャッタ１４０の回転軸１４１は図示しないギヤを介して回転モータ１０４に連動連結される。回転モータ１０４の作動により、回転軸１４１は時計回りあるいは反時計回りに回動する。回転軸１４１の回動に伴い、遮蔽板１４２及び停止軸も同様に時計回りあるいは反時計回りに回動する。したがって、シャッタ１４０は実線矢印で示すように時計回りあるいは反時計回りに回動する。また、シャッタ１４０の供給位置及び遮断位置付近には図示しない２つのリミットスイッチを設置する。
【００６２】
また、風洞５３の後側方に第２除塵体１４３を設置する。第２除塵体１４３はシャッタ１４０が遮断位置にあるときに、風洞５３の後側方から導入された外気に対し、塵埃や藁屑の除去を行い、塵埃や藁屑が除去された外気をラジエータ１１に供給するためのものである。
【００６３】
シャッタ１４０が供給位置にあるときは、外気は除塵体５２を通じてラジエータ１１に供給される。シャッタ１４０が遮断位置にあるときは、外気は第２除塵体１４３を通じてラジエータ１１に供給される。
【００６４】
以上の構成により、ベールセンサ１１１によりベール１３を検出した場合には、回転モータ１０４が作動し、シャッタ１４０が反時計回りに回動する。そしてシャッタ１４０が遮断位置に達したときに回転モータ１０４が停止し、供給部５からの外気の取入れを中断することが出来る。その際には、外気の取入れは第２除塵体１４３を介して風洞５３の後方から行われる。また、ベールセンサ１１１がベール１３を通過し、ベールセンサ１１１がベール１３を検出しなくなった場合には、回転モータ１０４が作動し、シャッタ１４０が時計回りに回動する。そしてシャッタ１４０が供給位置に達したときに回転モータ１０４が停止し、供給部５からの外気の取入れを再開することが出来る。
【００６５】
上記の記載及び図１〜図７から明らかなように、圃場の作物を取込む取込部６と、エンジン１０を搭載する走行機体２と、前記エンジン１０に冷却風を供給する供給部５とを備えた収穫作業機１において、前記供給部５に設置された除塵体５２と前記エンジン１０の間にシャッタ１００（シャッタ１４０）を配置し、前記シャッタ１００（シャッタ１４０）にて前記エンジン１０に供給する外気の取入れを制御するように構成したものであるから、前記シャッタ１００（シャッタ１４０）を閉じることで、飼料ベール等の草藁が多い場所に走行機体２が接近したときに外気の取入れを中止できる。外気の取入れが中止されているため、前記除塵体５２に付着した塵埃や藁屑が自重落下させることができる。前記防塵体５２への塵埃や藁屑の付着が低減できる。エンジン１０の過熱等の不具合が発生するのを低減できる。したがって、圃場内において、外側から内側へ渦巻き状に移動したときに、収穫作業機が走行している位置に対して外側に配置された飼料ベールに接近した際にも、飼料ベールに付着した塵埃や藁屑を外気と共に供給部から取り込むことを抑制できる。飼料ベールの周囲を迂回することなく、効率良く飼料の刈取りを行うことができる。
【００６６】
上記の記載及び図１〜図７から明らかなように、前記取込部６にて取込んだ作物を用いてベール１３を形成するベール形成部８を備えた構造であって、前工程のベール１３を検出するベールセンサ１１１を設け、前記ベールセンサ１１１の検出結果に基づき前記シャッタ１００（シャッタ１４０）が作動し、外気の取入れを中断可能であるものであるから、飼料ベール等の草藁が多い場所に走行機体２が接近したとき、外気の取入れを自動的に停止できる。オペレータによるシャッタ１００（シャッタ１４０）の手動切換が不要になるから、運転操作を簡略化できる。
【００６７】
上記の記載及び図１〜図７から明らかなように、前記供給部５に、回転可能な除塵体５２と前記除塵体５２を回転駆動する除塵モータ５４とを設け、前記ベールセンサ１１１による外気の取入れの中断と連動して、前記除塵体５２の回転を中断するものであるから、除塵モータ５４を停止でき、除塵モータ５４の寿命の向上または騒音の低減ができる。また、バッテリ１３４の劣化も低減できる。
【符号の説明】
【００６８】
１  収穫作業機
２  走行機体
５  供給部
６  取込部
８  ベール形成部
１０  エンジン
１３  ベール
５２  除塵体
５４  除塵モータ
１００、１４０  シャッタ
１１１  ベールセンサ
【図１】
2014223045.tif 000003
【図２】
2014223045.tif 000004
【図３】
2014223045.tif 000005
【図４】
2014223045.tif 000006
【図５】
2014223045.tif 000007
【図６】
2014223045.tif 000008
【図７】
2014223045.tif 000009